(57)【特許請求の範囲】
【請求項１】
記録媒体上に色材を含有するインクを用いて画像を記録するインクジェット記録装置であって、
樹脂成分及び溶媒成分を含有し、前記記録媒体に対して液体が浸透することを抑制する機能を与える第１の処理剤を前記記録媒体に付与する第１の処理剤付与手段と、
前記付与された第１の処理剤を加熱して前記溶媒成分を蒸発させるとともに、前記樹脂成分を皮膜化させることで前記記録媒体に対して液体の浸透を抑制する機能を与える加熱処理手段と、
前記加熱処理手段の加熱処理の後に、インク中の色材を凝集させる機能又はインクドットを増粘させる機能を有する第２の処理剤を前記記録媒体に付与する第２の処理剤付与手段と、
入力画像データをドットデータに変換する画像処理手段と、
前記画像処理手段で変換されたドットデータに従って、前記記録媒体にインク打滴を行うインク打滴ヘッドと、
を備えたことを特徴とするインクジェット記録装置。
【請求項２】
前記樹脂成分は、ガラス転移温度がマイナス１０℃以上１０℃以下である熱可塑性樹脂を含むことを特徴とする請求項１に記載のインクジェット記録装置。
【請求項３】
前記熱可塑性樹脂の粒子の直径は、０．０１マイクロメートル以上５マイクロメートル以下であることを特徴とする請求項２に記載のインクジェット記録装置。
【請求項４】
前記第１の処理剤における前記熱可塑性樹脂の濃度は、１重量パーセント以上４０重量パーセント以下であることを特徴とする請求項２又は３に記載のインクジェット記録装置。
【請求項５】
前記第１の処理剤付与手段による第１の処理剤の付与を制御する第１の処理剤付与制御手段と、
前記第２の処理剤付与手段による第２の処理剤付与を制御する第２の処理剤付与制御手段と、
を備え、
前記第１の処理剤付与制御手段は、前記第２の処理剤の付与領域及び前記第２の処理剤の付与領域の周囲領域に前記第１の処理剤を付与するように前記第１の処理剤付与手段を制御し、
前記第２の処理剤付与制御手段は、前記インクの打滴領域及び前記インク打滴領域の周囲領域に前記第２の処理剤を付与するように前記第２の処理剤付与手段を制御することを特徴とする請求項１から４のいずれか１項に記載のインクジェット記録装置。
【請求項６】
前記第１の処理剤付与手段は第１の処理剤を液滴化して打滴する第１の処理剤打滴ヘッドを含むとともに、前記第２の処理剤付与手段は第２の処理剤を液滴化して打滴する第２の処理剤打滴ヘッドを含み、
前記第１の処理剤打滴ヘッドの打滴を制御する第１の処理剤打滴制御手段と、
前記第２の処理剤打滴ヘッドの打滴を制御する第２の処理剤打滴制御手段と、
を備えたことを特徴とする請求項１から４のいずれか１項に記載のインクジェット記録装置。
【請求項７】
前記第１の処理剤打滴制御手段は、前記第２の処理剤打滴ヘッドの打滴点及び前記第２の処理剤打滴ヘッドの打滴点に隣接する打滴点を含む周囲の打滴点に前記第１の処理剤を打滴するように前記第１の処理剤打滴ヘッドの打滴を制御することを特徴とする請求項６に記載のインクジェット記録装置。
【請求項８】
前記第１の処理剤打滴制御手段は、前記第２の処理剤打滴ヘッドによって第２の処理剤が打滴された打滴点と同一打滴点に対して、当該打滴点における第２の処理剤のドットよりも大きいサイズを有する第１の処理剤のドットを形成するように前記第１の処理剤打滴ヘッドの打滴を制御することを特徴とする請求項６に記載のインクジェット記録装置。
【請求項９】
前記画像処理手段は、前記第１の処理剤の打滴密度が前記第２の処理剤の打滴密度よりも小さくなり、前記第１の処理剤のドットサイズが同一の打滴点に打滴される前記第２の処理剤のドットサイズよりも大きくなるよう前記第１の処理剤のドットデータ及び前記第２の処理剤のドットデータを生成することを特徴とする請求項６に記載のインクジェット記録装置。
【請求項１０】
記録媒体上に色材を含有するインクを用いて画像を記録するインクジェット記録装置であって、
前記記録媒体に対して液体が浸透することを抑制する機能を有する第１の処理剤を液滴化して前記記録媒体に打滴する第１の処理剤打滴ヘッドと、
前記第１の処理剤打滴ヘッドの打滴を制御する第１の処理剤打滴制御手段と、
インク中の色材を凝集させる機能又はインクドットを増粘させる機能を有する第２の処理剤を液滴化して前記記録媒体に打滴する第２の処理剤打滴ヘッドと、
前記第２の処理剤打滴ヘッドの打滴を制御する第２の処理剤打滴制御手段と、
入力画像データをドットデータに変換する画像処理手段と、
前記画像処理手段で変換されたドットデータに従って、前記記録媒体にインク打滴を行うインク打滴ヘッドと、
を備え、
前記画像処理手段は、前記第１の処理剤の打滴密度が前記第２の処理剤の打滴密度よりも小さくなり、前記第１の処理剤のドットサイズが同一の打滴点に打滴される前記第２の処理剤のドットサイズよりも大きくなるよう前記第１の処理剤のドットデータ及び前記第２の処理剤のドットデータを生成することを特徴とするインクジェット記録装置。
【請求項１１】
記録媒体を所定の方向へ搬送する搬送手段を備え、
前記第１の処理剤打滴制御手段は、前記インク打滴ヘッドによってインクが打滴される打滴点及び当該打滴点の前記記録媒体の搬送方向下流側の打滴点に第１の処理剤を打滴するように前記第１の処理剤打滴ヘッドの打滴を制御することを特徴とする請求項６から１０のいずれか１項に記載のインクジェット記録装置。
【請求項１２】
記録媒体上に色材を含有するインクを用いて画像を記録するインクジェット記録装置であって、
前記記録媒体に対して液体が浸透することを抑制する機能を有する第１の処理剤を液滴化して前記記録媒体に打滴する第１の処理剤打滴ヘッドと、
前記第１の処理剤打滴ヘッドの打滴を制御する第１の処理剤打滴制御手段と、
インク中の色材を凝集させる機能又はインクドットを増粘させる機能を有する第２の処理剤を液滴化して前記記録媒体に打滴する第２の処理剤打滴ヘッドと、
前記第２の処理剤打滴ヘッドの打滴を制御する第２の処理剤打滴制御手段と、
入力画像データをドットデータに変換する画像処理手段と、
前記画像処理手段で変換されたドットデータに従って、前記記録媒体にインク打滴を行うインク打滴ヘッドと、
記録媒体を所定の方向へ搬送する搬送手段と、
を備え、
前記第１の処理剤打滴制御手段は、前記インク打滴ヘッドによってインクが打滴される打滴点及び当該打滴点の前記記録媒体の搬送方向下流側の打滴点に第１の処理剤を打滴するように前記第１の処理剤打滴ヘッドの打滴を制御することを特徴とするインクジェット記録装置。
【請求項１３】
記録媒体の種類を判断する記録媒体判断手段を備え、
前記第１の処理剤付与制御手段は、カールが発生しにくい記録媒体を使用する場合には、カールが発生しやすい記録媒体を用いる場合の前記第１の処理剤の付与量を通常量として、前記通常量よりも第１の処理剤の付与量を減らすように第１の処理剤付与手段を制御することを特徴とする請求項５に記載のインクジェット記録装置。
【請求項１４】
記録媒体上に色材を含有するインクを用いて画像を記録するインクジェット記録装置であって、
前記記録媒体に対して液体が浸透することを抑制する機能を有する第１の処理剤を前記記録媒体に付与する第１の処理剤付与手段と、
前記第１の処理剤付与手段による第１の処理剤の付与を制御する第１の処理剤付与制御手段と、
インク中の色材を凝集させる機能又はインクドットを増粘させる機能を有する第２の処理剤を前記記録媒体に付与する第２の処理剤付与手段と、
前記第２の処理剤付与手段による第２の処理剤付与を制御する第２の処理剤付与制御手段と、
入力画像データをドットデータに変換する画像処理手段と、
前記画像処理手段で変換されたドットデータに従って、前記記録媒体にインク打滴を行うインク打滴ヘッドと、
記録媒体の種類を判断する記録媒体判断手段と、
を備え、
前記第２の処理剤付与制御手段は、前記インクの打滴領域及び前記インク打滴領域の周囲領域に前記第２の処理剤を付与するように前記第２の処理剤付与手段を制御し、
前記第１の処理剤付与制御手段は、前記第２の処理剤の付与領域及び前記第２の処理剤の付与領域の周囲領域に前記第１の処理剤を付与するように前記第１の処理剤付与手段を制御するとともに、カールが発生しにくい記録媒体を使用する場合には、カールが発生しやすい記録媒体を用いる場合の前記第１の処理剤の付与量を通常量として、前記通常量よりも第１の処理剤の付与量を減らすように第１の処理剤付与手段を制御することを特徴とするインクジェット記録装置。
【請求項１５】
第２の処理剤の付与量を算出する第２の処理剤付与量算出手段と、
インクの付与量を算出するインク付与量算出手段と、
を備え、
前記第１の処理剤付与制御手段は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないように前記第１の処理剤付与手段を制御することを特徴とする請求項５、１３又は１４のいずれか１項に記載のインクジェット記録装置。
【請求項１６】
記録媒体上に色材を含有するインクを用いて画像を記録するインクジェット記録装置であって、
前記記録媒体に対して液体が浸透することを抑制する機能を有する第１の処理剤を前記記録媒体に付与する第１の処理剤付与手段と、
前記第１の処理剤付与手段による第１の処理剤の付与を制御する第１の処理剤付与制御手段と、
インク中の色材を凝集させる機能又はインクドットを増粘させる機能を有する第２の処理剤を前記記録媒体に付与する第２の処理剤付与手段と、
前記第２の処理剤付与手段による第２の処理剤付与を制御する第２の処理剤付与制御手段と、
入力画像データをドットデータに変換する画像処理手段と、
前記画像処理手段で変換されたドットデータに従って、前記記録媒体にインク打滴を行うインク打滴ヘッドと、
第２の処理剤の付与量を算出する第２の処理剤付与量算出手段と、
インクの付与量を算出するインク付与量算出手段と、
を備え、
前記第１の処理剤付与制御手段は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないように前記第１の処理剤付与手段を制御することを特徴とするインクジェット記録装置。
【請求項１７】
前記第２の処理剤付与量算出手段は、前記画像処理手段によって変換された第２の処理剤のドットデータに基づいて第２の処理剤の付与量を算出することを特徴とする請求項１５又は１６に記載のインクジェット記録装置。
【請求項１８】
前記第２の処理剤付与量算出手段は、複数の領域に分割された前記記録媒体の領域ごとに第２の処理剤の付与量を算出するとともに、前記インク付与量算出手段は、前記領域ごとにインクの付与量を算出し、
前記第１の処理剤付与制御手段は、前記領域ごとに第１の処理剤の付与を制御することを特徴とする請求項１５から１７のいずれか１項に記載のインクジェット記録装置。
【請求項１９】
前記しきい値は、記録媒体ごとに設定されることを特徴とする請求項１５から１８のいずれか１項に記載のインクジェット記録装置。
【請求項２０】
前記インク打滴ヘッドの打滴異常を検出する異常検出手段を備え、
前記第１の処理剤付与制御手段は、前記異常検出手段によって検出された打滴異常箇所に対応する記録媒体上の位置及び前記打滴異常箇所に対応する記録媒体上の位置に隣接する位置には前記第１の処理剤を付与しないように前記第１の処理剤付与手段を制御することにより、前記打滴異常箇所に対応する記録媒体上の位置、及び前記打滴異常箇所に対応する記録媒体上の位置に隣接する位置には前記第１の処理剤を付着させず、前記打滴異常箇所に対応する記録媒体上の位置に隣接する位置に打滴されたインクのドットを、前記打滴異常箇所に対応する記録媒体上の位置へ滲ませることを特徴とする請求項５又は１３から１９のいずれか１項に記載のインクジェット記録装置。
【請求項２１】
前記第２の処理剤付与制御手段は、前記打滴異常箇所に対応する記録媒体上の位置、及び前記打滴異常箇所に対応する記録媒体上の位置に第２の処理剤を付与しないように前記第２の処理剤付与手段を制御することを特徴とする請求項２０に記載のインクジェット記録装置。
【請求項２２】
前記第１の処理剤は、油性溶媒に樹脂粒子を分散させた液体若しくは、油性溶媒に樹脂を溶解させた液体を含むことを特徴とする請求項１から２１のいずれか１項に記載のインクジェット記録装置。
【請求項２３】
前記第１の処理剤は、ワックスを含むことを特徴とする請求項１から２２のいずれか１項に記載のインクジェット記録装置。
【請求項２４】
記録媒体上に色材を含有するインクを用いて画像を記録する画像記録方法であって、
樹脂成分及び溶媒成分を含有し、前記記録媒体に対して液体が浸透することを抑制する機能を与える第１の処理剤を前記記録媒体に付与する第１の処理剤付与工程と、
前記付与された第１の処理剤を加熱して前記溶媒成分を蒸発させるとともに、前記樹脂成分を皮膜化させることで前記記録媒体に対して液体の浸透を抑制する機能を与える加熱処理工程と、
前記加熱処理工程の後に、前記第１の処理剤が付与された記録媒体に前記インク中の色材を凝集させる機能或いはインクドットを増粘させる機能を有する第２の処理剤を付与する第２の処理剤付与工程と、
前記第２の処理剤付与工程の後に、入力画像データから変換されたドットデータに従い前記第２の処理剤が付与された記録媒体にインクを打滴するインク打滴工程と、
を含むことを特徴とする画像記録方法。
【請求項２５】
記録媒体上に色材を含有するインクを用いて画像を記録する画像記録方法であって、
前記記録媒体に対して液体が浸透することを抑制する機能を有する第１の処理剤を液滴化して前記記録媒体に打滴する第１の処理剤打滴工程と、
インク中の色材を凝集させる機能又はインクドットを増粘させる機能を有する第２の処理剤を液滴化して前記記録媒体に打滴する第２の処理剤打滴工程と、
入力画像データをドットデータに変換する画像処理工程と、
前記画像処理工程で変換されたドットデータに従って、前記記録媒体にインク打滴を行うインク打滴工程と、
を含み、
前記画像処理工程は、前記第１の処理剤の打滴密度が前記第２の処理剤の打滴密度よりも小さくなり、前記第１の処理剤のドットサイズが同一の打滴点に打滴される前記第２の処理剤のドットサイズよりも大きくなるよう前記第１の処理剤のドットデータ及び前記第２の処理剤のドットデータを生成することを特徴とする画像記録方法。
【請求項２６】
記録媒体上に色材を含有するインクを用いて画像を記録する画像記録方法であって、
前記記録媒体に対して液体が浸透することを抑制する機能を有する第１の処理剤を液滴化して前記記録媒体に打滴する第１の処理剤打滴工程と、
インク中の色材を凝集させる機能又はインクドットを増粘させる機能を有する第２の処理剤を液滴化して前記記録媒体に打滴する第２の処理剤打滴工程と、
入力画像データをドットデータに変換する画像処理工程と、
前記画像処理工程で変換されたドットデータに従って、前記記録媒体にインク打滴を行うインク打滴工程と、
記録媒体を所定の方向へ搬送する搬送工程と、
を含み、
前記第１の処理剤打滴工程は、前記インク打滴工程によってインクが打滴される打滴点及び当該打滴点の前記記録媒体の搬送方向下流側の打滴点に第１の処理剤を打滴するように前記第１の処理剤の打滴を制御することを特徴とする画像記録方法。
【請求項２７】
記録媒体上に色材を含有するインクを用いて画像を記録する画像記録方法であって、
前記記録媒体に対して液体が浸透することを抑制する機能を有する第１の処理剤を前記記録媒体に付与する第１の処理剤付与工程と、
インク中の色材を凝集させる機能又はインクドットを増粘させる機能を有する第２の処理剤を前記記録媒体に付与する第２の処理剤付与工程と、
入力画像データをドットデータに変換する画像処理工程と、
前記画像処理工程で変換されたドットデータに従って、前記記録媒体にインク打滴を行うインク打滴工程と、
記録媒体の種類を判断する記録媒体判断工程と、
を含み、
前記第２の処理剤付与工程は、前記インクの打滴領域及び前記インク打滴領域の周囲領域に前記第２の処理剤を付与し、
前記第１の処理剤付与工程は、前記第２の処理剤の付与領域及び前記第２の処理剤の付与領域の周囲領域に前記第１の処理剤を付与するとともに、カールが発生しにくい記録媒体を使用する場合には、カールが発生しやすい記録媒体を用いる場合の前記第１の処理剤の付与量を通常量として、前記通常量よりも第１の処理剤の付与量を減らすように第１の処理剤を付与することを特徴とする画像記録方法。
【請求項２８】
記録媒体上に色材を含有するインクを用いて画像を記録する画像記録方法であって、
前記記録媒体に対して液体が浸透することを抑制する機能を有する第１の処理剤を前記記録媒体に付与する第１の処理剤付与工程と、
インク中の色材を凝集させる機能又はインクドットを増粘させる機能を有する第２の処理剤を前記記録媒体に付与する第２の処理剤付与工程と、
入力画像データをドットデータに変換する画像処理工程と、
前記画像処理工程で変換されたドットデータに従って、前記記録媒体にインク打滴を行うインク打滴ヘッドと、
第２の処理剤の付与量を算出する第２の処理剤付与量算出工程と、
インクの付与量を算出するインク付与量算出工程と、
を含み、
前記第１の処理剤付与工程は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないことを特徴とする画像記録方法。
【発明の詳細な説明】
【技術分野】
【０００１】
本発明はインクジェット記録装置及び画像記録方法に係り、特に画像記録後の記録媒体に発生するカール等を防止する画像記録技術に関する。
【背景技術】
【０００２】
一般の印刷等で用いられる、アート紙やコート紙等の「塗工紙」や、上質紙等の「非塗工紙」に水性のインクジェットを用いて印刷を行うと、用紙のセルロース繊維間の水素結合の切断、再結合により、「カール」と呼ばれる紙の変形が発生する、という問題が知られている。「カール」の防止策としては、インクに糖類等のカール防止剤を添加する方法や、搬送部の紙抑え機構を強力なものとして強制的にカールを抑える機構を持つ方式などがあるが、いずれも十分にカールを抑えることはできていない。
【０００３】
特許文献１には、インク記録に先立って紙にアルコールを付与し、記録位置では紙が実質的に乾燥した状態に至らしめ、その後に画像を記録する記録装置が開示されており、特許文献１では、セルロース繊維間の水素結合による結合点に存在する水酸基にアルコール液の水酸基が結合することによって、後から水がやってきてもアルコール液の疎水基部分により水分子が排除され繊維同士の結合点に到達できないため、紙が乾燥する過程で、繊維間の結合点の移動が起こりにくくなり、用紙のカールが抑制されるという効果を得ている。
【特許文献１】特開２００４−１３６４５８号公報
【発明の開示】
【発明が解決しようとする課題】
【０００４】
しかしながら、特許文献１に記載された紙カール抑制方法及び記録装置では、アルコールを水性インク打滴前に紙に付与するため、インクのハジキや画像のにじみが出るという問題があることが分かった。この問題を解決するために、アルコール液を紙に付与した後に紙表面を乾燥させてしまうと、その後にインクを打滴した際にカールが発生してしまうという問題があることも分かった。
【０００５】
本発明はこのような事情に鑑みてなされたもので、記録媒体にカール等の異常が発生することなく、好ましい画像記録が行われるインクジェット記録装置及び画像記録方法を提供することを目的とする。
【課題を解決するための手段】
【０００６】
上記目的を達成するために、本発明に係るインクジェット記録装置は、記録媒体上に色材を含有するインクを用いて画像を記録するインクジェット記録装置であって、樹脂成分及び溶媒成分を含有し、前記記録媒体に対して液体が浸透することを抑制する機能を与える第１の処理剤を前記記録媒体に付与する第１の処理剤付与手段と、前記付与された第１の処理剤を加熱して前記溶媒成分を蒸発させるとともに、前記樹脂成分を皮膜化させることで前記記録媒体に対して液体の浸透を抑制する機能を与える加熱処理手段と、前記加熱処理手段の加熱処理の後に、インク中の色材を凝集させる機能又はインクドットを増粘させる機能を有する第２の処理剤を前記記録媒体に付与する第２の処理剤付与手段と、入力画像データをドットデータに変換する画像処理手段と、前記画像処理手段で変換されたドットデータに従って、前記記録媒体にインク打滴を行うインク打滴ヘッドと、を備えたことを特徴とする。
【０００７】
本発明によれば、記録媒体に対して液体が浸透することを抑制する機能を持った第１の処理剤を記録媒体に付与するので、インク中の色材を凝集させる機能またはインクドットを増粘させる機能を有する第２の処理剤の記録媒体に対する浸透を抑制するとともに、インクの記録媒体に対する浸透が抑制され、記録媒体の内部に液体が浸透することで発生するカールを防止することができる。また、第２の処理剤が記録媒体の表面に保持されるので、記録媒体の表面で第２の処理剤とインクがすばやく反応し、インクのはじきやにじみが防止される。本発明は、浸透性を有する記録媒体に対して画像記録を行う場合に、特に効果を発揮する。
【０００８】
第１の処理剤は、第１の処理剤が記録媒体に浸透したとしてもカールを発生しない組成を有している。このような組成例として非水性溶媒（例えば油性溶媒）を用いた溶液が挙げられる。
【０００９】
第１の処理剤を乾燥させる第１の処理剤乾燥手段を備え、第１の処理剤を乾燥させた後に第２の処理剤及びインクを付与する態様が好ましい。
【００１０】
請求項２に記載の発明は、請求項１に記載のインクジェット記録装置の一態様に係り、前記樹脂成分は、ガラス転移温度がマイナス１０℃以上１０℃以下である熱可塑性樹脂を含むことを特徴とする。請求項３に記載の発明は、請求項２に記載のインクジェット記録装置の一態様に係り、前記熱可塑性樹脂の粒子の直径は、０．０１マイクロメートル以上５マイクロメートル以下であることを特徴とする。請求項４に記載の発明は、請求項２又は３に記載のインクジェット記録装置の一態様に係り、前記第１の処理剤における前記熱可塑性樹脂の濃度は、１重量パーセント以上４０重量パーセント以下であることを特徴とする。請求項５に記載の発明は、請求項１から４のいずれか１項に記載のインクジェット記録装置の一態様に係り、前記第１の処理剤付与手段による第１の処理剤の付与を制御する第１の処理剤付与制御手段と、前記第２の処理剤付与手段による第２の処理剤付与を制御する第２の処理剤付与制御手段と、を備え、前記第１の処理剤付与制御手段は、前記第２の処理剤の付与領域及び前記第２の処理剤の付与領域の周囲領域に前記第１の処理剤を付与するように前記第１の処理剤付与手段を制御し、前記第２の処理剤付与制御手段は、前記インクの打滴領域及び前記インク打滴領域の周囲領域に前記第２の処理剤を付与するように前記第２の処理剤付与手段を制御することを特徴とする。
【００１１】
請求項５に記載の発明によれば、第２の処理剤が付与される領域及び第２の処理剤が付
与される領域の周辺領域に第１の処理剤を付与することで、第２の処理剤は第１の処理剤
の付与領域に付与されることになり、記録媒体に対して第２の処理剤が浸透することを確
実に防止することができる。
【００１２】
請求項６に記載の発明は、請求項１から４のいずれか１項に記載のインクジェット記録装置の一態様に係り、前記第１の処理剤付与手段は第１の処理剤を液滴化して打滴する第１の処理剤打滴ヘッドを含むとともに、前記第２の処理剤付与手段は第２の処理剤を液滴化して打滴する第２の処理剤打滴ヘッドを含み、前記第１の処理剤打滴ヘッドの打滴を制御する第１の処理剤打滴制御手段と、前記第２の処理剤打滴ヘッドの打滴を制御する第２の処理剤打滴制御手段と、を備えたことを特徴とする。
【００１３】
請求項６に記載の発明によれば、第１の処理剤と第２の処理剤をドットオンドットで塗布することが可能である。また、非画像部への第１の処理剤の付着を抑制することで、非画像部の質感を維持できる。更に、記録媒体の全面に第１の処理剤を付与する場合に比べて第１の処理剤の消費量を減らすことができる。
【００１４】
打滴ヘッドの構成として、液体を吐出する吐出口と、吐出口と連通する液室と、液室内の液体を加圧する加圧手段と、を備える態様が挙げられる。
【００１５】
請求項７に記載の発明は、請求項６に記載のインクジェット記録装置の一態様に係り、前記第１の処理剤打滴制御手段は、前記第２の処理剤打滴ヘッドの打滴点及び前記第２の処理剤打滴ヘッドの打滴点に隣接する打滴点を含む周囲の打滴点に前記第１の処理剤を打滴するように前記第１の処理剤打滴ヘッドの打滴を制御することを特徴とする。
【００１６】
請求項７に記載の発明によれば、効果的に記録媒体のカールを防止するとともに、記録
画像の高画質形成を実現可能である。
【００１７】
第２の処理剤打滴制御手段は、インク打滴ヘッドの打滴点及びインク打滴ヘッドの打滴点に隣接する打滴点を含む周囲の打滴点に第２の処理剤を打滴するように第２の処理剤打滴ヘッドを制御する態様が好ましい。
【００１８】
請求項８に記載の発明は、請求項６に記載のインクジェット記録装置の一態様に係り、前記第１の処理剤打滴制御手段は、前記第２の処理剤打滴ヘッドによって第２の処理剤が打滴された打滴点と同一打滴点に対して、当該打滴点における第２の処理剤のドットよりも大きいサイズを有する第１の処理剤のドットを形成するように前記第１の処理剤打滴ヘッドの打滴を制御することを特徴とする。
【００１９】
請求項８に記載の発明によれば、第１の処理剤のドットのサイズを第２の処理剤のドットのサイズよりも大きくすることで、効果的なカール防止と高画質形成を実現可能である。
【００２０】
第２の処理剤付与制御手段は、インク打滴ヘッドによってインクが打滴された打滴点と同一打滴点に対して、当該打滴点におけるインクのドットよりも大きいサイズを有する第２の処理剤のドットを形成するように前記第２の処理剤打滴ヘッドの打滴を制御し、第１の処理剤のドット、第２の処理剤のドット、インクのドットの順にドットサイズを小さくする態様がより好ましい。
【００２１】
請求項９に記載の発明は、請求項６記載のインクジェット記録装置の一態様に係り、前記画像処理手段は、前記第１の処理剤の打滴密度が前記第２の処理剤の打滴密度よりも小さくなり、前記第１の処理剤のドットサイズが同一の打滴点に打滴される前記第２の処理剤のドットサイズよりも大きくなるよう前記第１の処理剤のドットデータ及び前記第２の処理剤のドットデータを生成することを特徴とする。請求項１０に記載の発明に係るインクジェット記録装置は、記録媒体上に色材を含有するインクを用いて画像を記録するインクジェット記録装置であって、前記記録媒体に対して液体が浸透することを抑制する機能を有する第１の処理剤を液滴化して前記記録媒体に打滴する第１の処理剤打滴ヘッドと、前記第１の処理剤打滴ヘッドの打滴を制御する第１の処理剤打滴制御手段と、インク中の色材を凝集させる機能又はインクドットを増粘させる機能を有する第２の処理剤を液滴化して前記記録媒体に打滴する第２の処理剤打滴ヘッドと、前記第２の処理剤打滴ヘッドの打滴を制御する第２の処理剤打滴制御手段と、入力画像データをドットデータに変換する画像処理手段と、前記画像処理手段で変換されたドットデータに従って、前記記録媒体にインク打滴を行うインク打滴ヘッドと、を備え、前記画像処理手段は、前記第１の処理剤の打滴密度が前記第２の処理剤の打滴密度よりも小さくなり、前記第１の処理剤のドットサイズが同一の打滴点に打滴される前記第２の処理剤のドットサイズよりも大きくなるよう前記第１の処理剤のドットデータ及び前記第２の処理剤のドットデータを生成することを特徴とする。
【００２２】
請求項９及び１０に記載の発明によれば、第２の処理剤の打滴位置に対して第１の処理剤によるドットを打滴することができ、効果的なカール防止と高画質形成が実現可能である。
【００２３】
請求項１１に記載の発明は、請求項６から１０のいずれか１項に記載のインクジェット記録装置の一態様に係り、記録媒体を所定の方向へ搬送する搬送手段を備え、前記第１の処理剤付与制御手段は、前記インク打滴ヘッドによってインクが打滴される打滴点及び当該打滴点の前記記録媒体の搬送方向下流側の打滴点に第１の処理剤を打滴するように前記第１の処理剤打滴ヘッドの打滴を制御することを特徴とする。請求項１２に記載の発明に係るインクジェット記録装置は、記録媒体上に色材を含有するインクを用いて画像を記録するインクジェット記録装置であって、前記記録媒体に対して液体が浸透することを抑制する機能を有する第１の処理剤を液滴化して前記記録媒体に打滴する第１の処理剤打滴ヘッドと、前記第１の処理剤打滴ヘッドの打滴を制御する第１の処理剤打滴制御手段と、インク中の色材を凝集させる機能又はインクドットを増粘させる機能を有する第２の処理剤を液滴化して前記記録媒体に打滴する第２の処理剤打滴ヘッドと、前記第２の処理剤打滴ヘッドの打滴を制御する第２の処理剤打滴制御手段と、入力画像データをドットデータに変換する画像処理手段と、前記画像処理手段で変換されたドットデータに従って、前記記録媒体にインク打滴を行うインク打滴ヘッドと、記録媒体を所定の方向へ搬送する搬送手段と、を備え、前記第１の処理剤打滴制御手段は、前記インク打滴ヘッドによってインクが打滴される打滴点及び当該打滴点の前記記録媒体の搬送方向下流側の打滴点に第１の処理剤を打滴するように前記第１の処理剤打滴ヘッドの打滴を制御することを特徴とする。
【００２４】
請求項１１及び１２に記載の発明によれば、インクジェット方式では最初の打滴において打滴異常が発生しやすいので、インクの打滴に先立ち第１の処理剤及び第２の処理剤を打滴することで、第１の処理剤及び第２の処理剤の最初の打滴に打滴異常が発生したとしても第１の処理剤を第２の処理剤の打滴エリアに対して確実に打滴することができる。
【００２５】
第２の処理剤付与制御手段は、前記インク打滴ヘッドによってインクが打滴される打滴点よりも前記記録媒体の搬送方向下流側の打滴点に第２の処理剤を打滴するように前記第２の処理剤打滴ヘッドの打滴を制御すると、第２の処理剤打滴ヘッドの最初の打滴に打滴異常が発生したとしても、第２の処理剤をインクの打滴領域に対して確実に打滴することが可能となる。
【００２６】
請求項１３に記載の発明は、請求項５に記載のインクジェット記録装置の一態様に係り、記録媒体の種類を判断する記録媒体判断手段を備え、前記第１の処理剤付与制御手段は、カールが発生しにくい記録媒体を使用する場合には、カールが発生しやすい記録媒体を用いる場合の前記第１の処理剤の付与量を通常量として、前記通常量よりも第１の処理剤の付与量を減らすように第１の処理剤付与手段を制御することを特徴とする。請求項１４に記載の発明に係るインクジェット記録装置は、記録媒体上に色材を含有するインクを用いて画像を記録するインクジェット記録装置であって、前記記録媒体に対して液体が浸透することを抑制する機能を有する第１の処理剤を前記記録媒体に付与する第１の処理剤付与手段と、前記第１の処理剤付与手段による第１の処理剤の付与を制御する第１の処理剤付与制御手段と、インク中の色材を凝集させる機能又はインクドットを増粘させる機能を有する第２の処理剤を前記記録媒体に付与する第２の処理剤付与手段と、前記第２の処理剤付与手段による第２の処理剤付与を制御する第２の処理剤付与制御手段と、入力画像データをドットデータに変換する画像処理手段と、前記画像処理手段で変換されたドットデータに従って、前記記録媒体にインク打滴を行うインク打滴ヘッドと、記録媒体の種類を判断する記録媒体判断手段と、を備え、前記第２の処理剤付与制御手段は、前記インクの打滴領域及び前記インク打滴領域の周囲領域に前記第２の処理剤を付与するように前記第２の処理剤付与手段を制御し、前記第１の処理剤付与制御手段は、前記第２の処理剤の付与領域及び前記第２の処理剤の付与領域の周囲領域に前記第１の処理剤を付与するように前記第１の処理剤付与手段を制御するとともに、カールが発生しにくい記録媒体を使用する場合には、カールが発生しやすい記録媒体を用いる場合の前記第１の処理剤の付与量を通常量として、前記通常量よりも第１の処理剤の付与量を減らすように第１の処理剤付与手段を制御することを特徴とする。
【００２７】
請求項１３及び１４に記載の発明によれば、記録媒体の種類に応じて第１の処理剤の付与量が最適化されるので、記録媒体のカールを効果的に防止することができるとともに、インクにじみのない高品質の画像記録が実現される。
【００２８】
請求項１５に記載の発明は、請求項５、１３又は１４のいずれか１項に記載のインクジェット記録装置の一態様に係り、第２の処理剤の付与量を算出する第２の処理剤付与量算出手段と、インクの付与量を算出するインク付与量算出手段と、を備え、前記第１の処理剤付与制御手段は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないように前記第１の処理剤付与手段を制御することを特徴とする。請求項１６に記載の発明に係るインクジェット記録装置は、記録媒体上に色材を含有するインクを用いて画像を記録するインクジェット記録装置であって、前記記録媒体に対して液体が浸透することを抑制する機能を有する第１の処理剤を前記記録媒体に付与する第１の処理剤付与手段と、前記第１の処理剤付与手段による第１の処理剤の付与を制御する第１の処理剤付与制御手段と、インク中の色材を凝集させる機能又はインクドットを増粘させる機能を有する第２の処理剤を前記記録媒体に付与する第２の処理剤付与手段と、前記第２の処理剤付与手段による第２の処理剤付与を制御する第２の処理剤付与制御手段と、入力画像データをドットデータに変換する画像処理手段と、前記画像処理手段で変換されたドットデータに従って、前記記録媒体にインク打滴を行うインク打滴ヘッドと、第２の処理剤の付与量を算出する第２の処理剤付与量算出手段と、インクの付与量を算出するインク付与量算出手段と、を備え、前記第１の処理剤付与制御手段は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないように前記第１の処理剤付与手段を制御することを特徴とする。
【００２９】
請求項１５及び１６に記載の発明によれば、第２の処理剤の付与量及びインクの付与量の総量が少量であり、記録媒体にカールが発生する可能性が低い場合には、第１の処理剤を付与しないように第１の処理剤付与を制御するので、第１の処理剤の消費量が低減されるとともに、記録媒体の質感の変化が低減される。
【００３０】
請求項１７に記載の発明は、請求項１５又は１６に記載のインクジェット記録装置の一態様に係り、前記第２の処理剤付与量算出手段は、前記画像処理手段によって変換された第２の処理剤のドットデータに基づいて第２の処理剤の付与量を算出することを特徴とする。
【００３１】
請求項１７に記載の発明によれば、演算によって第２の処理剤の付与量を算出するので、第２の処理剤の付与量の実測が不要である。なお、第２の処理剤のドットデータは、インクのドットデータと同様の方法によって生成可能である。
【００３２】
インク付与量算出手段は、画像処理手段によって変換されたインクのドットデータに基づいてインクの付与量を算出する態様が好ましい。
【００３３】
請求項１８に記載の発明は、請求項１５から１７のいずれか１項に記載のインクジェット記録装置の一態様に係り、前記第２の処理剤付与量算出手段は、複数の領域に分割された前記記録媒体の領域ごとに第２の処理剤の付与量を算出するとともに、前記インク付与量算出手段は、前記領域ごとにインクの付与量を算出し、前記第１の処理剤付与制御手段は、前記領域ごとに第１の処理剤の付与を制御することを特徴とする。
【００３４】
請求項１８に記載の発明によれば、画像領域を複数の領域に分割し、当該領域ごとに第２の処理剤の付与量を算出するとともに、当該領域ごとにインクの付与量を算出し、更に、当該領域ごとに第１の処理剤の付与を制御するので、必要な領域のみに第１の処理剤が付与され、第１の処理剤の消費量が低減されるとともに、非画像部の質感を維持することができる。
【００３５】
請求項１９に記載の発明は、請求項１５から１８のいずれか１項に記載のインクジェット記録装置の一態様に係り、前記しきい値は、記録媒体ごとに設定されることを特徴とする。
【００３６】
請求項１９に記載の発明によれば、記録媒体の種類に応じて最適な第１の処理剤の付与が行われる。
【００３７】
前記インク打滴ヘッドの打滴異常を検出する異常検出手段を備え、前記第１の処理剤付与制御手段は、前記異常検出手段によって検出された打滴異常箇所に対応する記録媒体上の位置には前記第１の処理剤を付与しないように前記第１の処理剤付与手段を制御する態様も好ましい。
【００３８】
かかる態様によれば、インク打滴ヘッドの打滴異常によってインクが打滴されない位置には第１の処理剤を付与しないので、当該打滴異常の発生箇所の周辺に打滴されたインクがにじみ、打滴異常に起因するスジムラ等の画像異常の視認性を下げることができる。特に、隣接するドットが互いに重なり合うような高解像度の画像において、ドット被覆率が高い画像を記録する場合に効果を発揮する。
【００３９】
請求項２０に記載の発明は、請求項５又は１３から１９のいずれか１項に記載のインクジェット記録装置の一態様に係り、前記インク打滴ヘッドの打滴異常を検出する異常検出手段を備え、前記第１の処理剤付与制御手段は、前記異常検出手段によって検出された打滴異常箇所に対応する記録媒体上の位置及び前記打滴異常箇所に対応する記録媒体上の位置に隣接する位置には前記第１の処理剤を付与しないように前記第１の処理剤付与手段を制御することにより、前記打滴異常箇所に対応する記録媒体上の位置、及び前記打滴異常箇所に対応する記録媒体上の位置に隣接する位置には前記第１の処理剤を付着させず、前記打滴異常箇所に対応する記録媒体上の位置に隣接する位置に打滴されたインクのドットを、前記打滴異常箇所に対応する記録媒体上の位置へ滲ませることを特徴とする。
【００４０】
請求項２０に記載の発明によれば、インク打滴ヘッドに打滴異常が発生しても、当該打滴異常に対応する位置の周辺のインクドットをにじませることで、画像異常の視認性を下げることができる。請求項２１に記載の発明は、請求項２０に記載のインクジェット記録装置の一態様に係り、前記第２の処理剤付与制御手段は、前記打滴異常箇所に対応する記録媒体上の位置、及び前記打滴異常箇所に対応する記録媒体上の位置に第２の処理剤を付与しないように前記第２の処理剤付与手段を制御することを特徴とする。
【００４１】
請求項２２に記載の発明は、請求項１から２１のいずれか１項に記載のインクジェット記録装置の一態様に係り、前記第１の処理剤は、油性溶媒に樹脂粒子を分散させた液体若しくは、油性溶媒に樹脂を溶解させた液体を含むことを特徴とする。
【００４２】
請求項２２に記載の発明によれば、第１の処理剤自身が浸透性を有する記録媒体に対して非浸透性または難浸透性を有するので、好ましい。
【００４３】
請求項２３に記載の発明は、請求項１から２２のいずれか１項に記載のインクジェット記録装置の一態様に係り、前記第１の処理剤は、ワックスを含むことを特徴とする。
【００４４】
請求項２３に記載の発明によれば、第１の処理剤が記録媒体に浸透することなく、記録媒体の表面に好ましい第１の処理剤層が形成される。
【００４５】
また、本発明は上記目的を達成するための方法発明を提供する。請求項２４に記載の発明に係る画像記録方法は、記録媒体上に色材を含有するインクを用いて画像を記録する画像記録方法であって、樹脂成分及び溶媒成分を含有し、前記記録媒体に対して液体が浸透することを抑制する機能を与える第１の処理剤を前記記録媒体に付与する第１の処理剤付与工程と、前記付与された第１の処理剤を加熱して前記溶媒成分を蒸発させるとともに、前記樹脂成分を皮膜化させることで前記記録媒体に対して液体の浸透を抑制する機能を与える加熱処理工程と、前記加熱処理工程の後に、前記第１の処理剤が付与された記録媒体に前記インク中の色材を凝集させる機能或いはインクドットを増粘させる機能を有する第２の処理剤を付与する第２の処理剤付与工程と、前記第２の処理剤付与工程の後に、入力画像データから変換されたドットデータに従い前記第２の処理剤が付与された記録媒体にインクを打滴するインク打滴工程と、を含むことを特徴とする。
【００４６】
第１の処理剤を付与後に第１の処理剤を乾燥させる乾燥工程を含む態様が好ましい。請求項２５に記載の発明に係る画像記録方法は、記録媒体上に色材を含有するインクを用いて画像を記録する画像記録方法であって、前記記録媒体に対して液体が浸透することを抑制する機能を有する第１の処理剤を液滴化して前記記録媒体に打滴する第１の処理剤打滴工程と、インク中の色材を凝集させる機能又はインクドットを増粘させる機能を有する第２の処理剤を液滴化して前記記録媒体に打滴する第２の処理剤打滴工程と、入力画像データをドットデータに変換する画像処理工程と、前記画像処理工程で変換されたドットデータに従って、前記記録媒体にインク打滴を行うインク打滴工程と、を含み、前記画像処理工程は、前記第１の処理剤の打滴密度が前記第２の処理剤の打滴密度よりも小さくなり、前記第１の処理剤のドットサイズが同一の打滴点に打滴される前記第２の処理剤のドットサイズよりも大きくなるよう前記第１の処理剤のドットデータ及び前記第２の処理剤のドットデータを生成することを特徴とする。請求項２６に記載の発明に係る画像記録方法は、記録媒体上に色材を含有するインクを用いて画像を記録する画像記録方法であって、前記記録媒体に対して液体が浸透することを抑制する機能を有する第１の処理剤を液滴化して前記記録媒体に打滴する第１の処理剤打滴工程と、インク中の色材を凝集させる機能又はインクドットを増粘させる機能を有する第２の処理剤を液滴化して前記記録媒体に打滴する第２の処理剤打滴工程と、入力画像データをドットデータに変換する画像処理工程と、前記画像処理工程で変換されたドットデータに従って、前記記録媒体にインク打滴を行うインク打滴工程と、記録媒体を所定の方向へ搬送する搬送工程と、を含み、前記第１の処理剤打滴工程は、前記インク打滴工程によってインクが打滴される打滴点及び当該打滴点の前記記録媒体の搬送方向下流側の打滴点に第１の処理剤を打滴するように前記第１の処理剤の打滴を制御することを特徴とする。請求項２７に記載の発明に係る画像記録方法は、記録媒体上に色材を含有するインクを用いて画像を記録する画像記録方法であって、前記記録媒体に対して液体が浸透することを抑制する機能を有する第１の処理剤を前記記録媒体に付与する第１の処理剤付与工程と、インク中の色材を凝集させる機能又はインクドットを増粘させる機能を有する第２の処理剤を前記記録媒体に付与する第２の処理剤付与工程と、入力画像データをドットデータに変換する画像処理工程と、前記画像処理工程で変換されたドットデータに従って、前記記録媒体にインク打滴を行うインク打滴工程と、記録媒体の種類を判断する記録媒体判断工程と、を含み、前記第２の処理剤付与工程は、前記インクの打滴領域及び前記インク打滴領域の周囲領域に前記第２の処理剤を付与し、前記第１の処理剤付与工程は、前記第２の処理剤の付与領域及び前記第２の処理剤の付与領域の周囲領域に前記第１の処理剤を付与するとともに、カールが発生しにくい記録媒体を使用する場合には、カールが発生しやすい記録媒体を用いる場合の前記第１の処理剤の付与量を通常量として、前記通常量よりも第１の処理剤の付与量を減らすように第１の処理剤を付与することを特徴とする。請求項２８に記載の発明に係る画像記録方法は、記録媒体上に色材を含有するインクを用いて画像を記録する画像記録方法であって、前記記録媒体に対して液体が浸透することを抑制する機能を有する第１の処理剤を前記記録媒体に付与する第１の処理剤付与工程と、インク中の色材を凝集させる機能又はインクドットを増粘させる機能を有する第２の処理剤を前記記録媒体に付与する第２の処理剤付与工程と、入力画像データをドットデータに変換する画像処理工程と、前記画像処理工程で変換されたドットデータに従って、前記記録媒体にインク打滴を行うインク打滴ヘッドと、第２の処理剤の付与量を算出する第２の処理剤付与量算出工程と、インクの付与量を算出するインク付与量算出工程と、を含み、前記第１の処理剤付与工程は、前記第２の処理剤の付与量及び前記インクの付与量の総量が所定のしきい値以上の場合には第１の処理剤を付与し、前記第２の処理剤の付与量及び前記インクの付与量の総量が前記しきい値未満の場合には、第１の処理剤を付与しないことを特徴とする。
【発明の効果】
【００４７】
本発明によれば、記録媒体に対して液体が浸透することを抑制する機能を持った第１の処理剤を記録媒体に付与するので、インク及びインク中の色材を凝集させる機能またはインクドットを増粘させる機能を有する第２の処理剤が記録媒体に浸透することがなく、記録媒体内に液体が浸透することで発生するカールを防止することができる。本発明は、浸透性を有する記録媒体に対して画像記録を行う場合に、特に効果を発揮する。
【発明を実施するための最良の形態】
【００４８】
以下、添付図面に従って本発明の好ましい実施の形態について詳説する。
【００４９】
〔画像記録方法の説明〕
図１(a)〜(c)には、本発明の実施形態に係る画像記録方法を模式的に図示した。本例に示す画像記録方法は、図１(a)に図示する浸透抑制剤付与工程と、図１(b)に図示する処理液付与工程と、図１(c)に示すインク打滴工程と、を含んで構成されている。
【００５０】
図１(a)に示す浸透抑制剤付与工程は、用紙１６に水及び親水的な有機溶剤の浸透を抑制する浸透抑制剤（第１の処理剤；液滴化された浸透抑制剤を符号１で図示）を付与する。浸透抑制剤としては、有機溶剤にラテックスを分散した溶液、有機溶剤にポリマーを溶解した溶液、ワックス等が好適に用いられる。有機溶剤としては、メチルエチルケトン、石油類等の非水性溶剤（溶剤自体が紙のカールを発生させないもの）が好適に用いられる。なお、溶媒が水等のカールを発生させる溶媒であっても、用紙１６の種類及び第１の処理剤の付与量によっては使用可能である。
【００５１】
浸透抑制剤の付与方法としては、インクジェット方式による打滴や（ノズル５１から浸透抑制剤を微液滴化して打滴する態様を図１(a)に図示）、スプレー塗布、ローラ塗布等が好適に用いられる。インクジェット方式を適用する場合には、浸透抑制剤を後述する色材入りインクの打滴箇所及びその周辺のみに選択的に付与することができ、好適である。更に、浸透抑制剤を付与した後に、加熱処理を施して浸透抑制剤の溶媒成分を蒸発させるとともに、樹脂成分（ラテックス、溶解ポリマーなど）を皮膜化させることが好ましい。
【００５２】
また、図１(b)に示す処理液付与工程は、浸透抑制剤付与工程によって用紙１６の表面に浸透抑制剤層１Ａが形成された後に、後述の色材入りインク（図１(c)に符号３で図示）中の色材（顔料もしくは染料）を凝集若しくは増粘させる成分を持つ物質（処理液、第２の処理剤；図１(b)に微液滴化した処理液２を図示）を付与する。
【００５３】
処理液の具体例として、インクと反応してインク中の色材を析出あるいは不溶化させる処理液や、インク中の色材を含む半固体状の物質（ゲル）を生成する処理液等が挙げられる。そして、インクと処理液との反応を引き起こす方法として、インク中のアニオン性の色材と処理液中のカチオン性の化合物を反応させる方法や、互いにｐＨの異なるインクと処理液を混合させることでインクのｐＨを変化させてインク中の顔料の分散破壊を起こし顔料を凝集させる方法、処理液中に含有する多価金属塩との反応によりインク中の顔料の分散破壊を起こし顔料を凝集させる方法などが挙げられる。
【００５４】
処理液の付与方法としては、浸透抑制剤の付与方法と同様に、インクジェット方式による打滴（ノズル５１’から処理液を微液滴化して打滴する態様を図１(b)に図示）、スプレー塗布、ローラ塗布等が好適に用いられる。インクジェット方式を適用する場合には、処理液を後述する色材入りインクの打滴箇所及びその周辺のみに選択的に付与することができ、好適である。
【００５５】
上述したように浸透抑制剤を予め付与している場所（浸透抑制剤層１Ａ上）に処理液を付与するため、処理液は用紙１６の内部へ浸透しづらくなっている。なお、後述のインク中の色材成分が凝集した後に、用紙１６（浸透抑制剤層１Ａ）と接着せず処理液層２Ａ中に浮遊してしまうことを防止するために、処理液を付与した後（処理液層２Ａが形成された後）に処理液中の溶媒を乾燥（蒸発）させることが好ましい。
【００５６】
図１(c)に示すインク打滴工程は、インクジェット方式で入力画像に対応したドット３Ａを形成するために、ノズル５１”からインク液滴３を打滴する。即ち、予め処理液層２Ａが形成された領域に対して画像データに応じてインク液滴を打滴し、用紙１６上に所望の画像を記録する。
【００５７】
上述した画像記録方法によれば、浸透抑制剤の機能によって処理液２及びインク液滴３の溶媒成分の用紙１６内への浸透が抑制され、画像記録後の記録媒体にカールが発生しない。また、処理液２が用紙１６に浸透せずに用紙１６の表面に保持されるので、用紙１６（処理液層２Ａ）に着弾したインク液滴３は用紙１６の表面にすばやく定着し、インクのにじみ等の画像異常の発生が防止される。
【００５８】
〔装置構成〕
次に、図１(a)〜(c)に示した画像記録方法が適用される画像形成装置（インクジェット記録装置）について説明する。図２は本例に示すインクジェット記録装置１０の全体構成図である。
【００５９】
図２に示すように、インクジェット記録装置１０は、ＣＭＹＫ各色に対応するヘッド１２Ｃ，１２Ｍ，１２Ｙ，１２Ｋを含むインク打滴部１２から、用紙搬送部１４によって所定の用紙搬送方向Ａに搬送される用紙１６に対して、ＣＭＹＫ各色のインクを打滴して所望のカラー画像を記録するオンデマンド方式の画像記録装置である。
【００６０】
インクジェット記録装置１０は、浸透抑制剤（図１(a)参照）を用紙１６に付与する浸透抑制剤付与部１８と、浸透抑制剤中の溶媒を乾燥させる浸透抑制剤乾燥部２０と、乾燥処理が施された浸透抑制剤層（図１(a),(b)参照）に処理液を付与する処理液付与部２２と、処理液中の溶媒を乾燥させる処理液乾燥部２４と、上述したインク打滴部１２と、インク中の溶媒を乾燥させるインク乾燥部２６と、インク色材を用紙１６に定着させる処理を施す定着加圧部２８と、を含んで構成されている。
【００６１】
即ち、用紙搬送部１４に保持された用紙１６は図２における左から右へ搬送され、先ず浸透抑制剤付与部１８から浸透抑制剤が付与され、浸透抑制剤付与部１８の用紙搬送方向下流側に設けられる浸透抑制剤乾燥部２０によって乾燥処理が施される。その後、浸透抑制剤乾燥部２０の用紙搬送方向下流側に設けられる処理液付与部２２から処理液が付与され、更に、処理液付与部２２の用紙搬送方向下流側に設けられる処理液乾燥部２４によって乾燥処理が施される。
【００６２】
次に、処理液乾燥部２４の用紙搬送方向下流側に設けられるインク打滴部１２から画像データに応じてインク液滴が打滴され、インク打滴部１２の用紙搬送方向下流側に設けられるインク乾燥部２６によって乾燥処理が施される。
【００６３】
用紙搬送部１４には、複数のローラに巻き掛けられた無端状のベルトの表面に用紙１６を保持して搬送するベルト搬送や、ドラムの外周面に用紙１６を保持し、ドラムを所定の回動方向に回動させてドラムの外周面上で用紙１６を搬送するドラム搬送などの方式が好適に用いられる。また、用紙搬送部１４に用紙１６を保持する方式には、エアの吸引によるエア吸着、静電気による静電吸着、用紙の端部をニップ保持する方式などの様々な方式を適用することができる。
【００６４】
本例の浸透抑制剤付与部１８及び処理液付与部２２にはインクジェット方式（インクジェットヘッド）が好適に用いられる。もちろん、インクジェット方式に代わり、塗布ローラ等の塗布部材による塗布方式やスプレー方式などの方式を適用してもよい。
【００６５】
本例の各乾燥部には共通の構成が適用される。即ち、本例に示す各乾燥部では、媒体上方から（用紙１６の画像記録面側から）乾燥処理が施される。乾燥処理は赤外線乾燥と乾燥風の併用が好ましい。また、インク中の溶媒の乾燥に代わり、もしくは乾燥と併用して、多孔質ローラによる溶媒吸収を行ってもよい。また、用紙１６を保持する構造体（例えば、ベルトやドラムの内部）にヒータを内蔵する態様を適用することも可能である。
【００６６】
インクの打滴量は浸透抑制剤の打滴量や処理液の打滴量よりも多くなるので、インク打滴部１２の後段に設けられるインク乾燥部２６は、他の乾燥処理部よりも容量を大きくし、強力に乾燥させるように構成する態様が好ましい。
【００６７】
インク乾燥部２６の用紙搬送方向下流側に設けられる定着加圧部２８では、色材凝集体に対して、０．５〜２．０ＭＰａ程度の圧力と７０〜１００℃程度の加熱をかけ、インク中の分散ポリマーを溶融させ、用紙１６（図１(a),(b)に図示する浸透抑制剤層１Ａ）との密着を強化することが好ましい。また、定着加圧部２８に代わって、用紙１６の表面（画像記録面）ラミネート処理を施してもよい。
【００６８】
定着加圧部２８の用紙搬送方向には、センサ３０が設けられている。センサ３０は、用紙１６に記録された画像を撮像する撮像素子（ＣＣＤ）を含んで構成される。本例のインクジェット記録装置１０では、センサ３０による撮像結果に基づいて、インク打滴部１２の色ごとに異常（インクの吐出異常）の有無が判断される。
【００６９】
センサ３０は、カラー画像を読み取り可能に構成されている。例えば、ＲＧＢの各色に対応したフィルタＲＧＢの各色に対応したセンサを別個に備えてもよいし、所定の配列で並べられたＲＧＢの各色に対応したカラーフィルタを備える構成でもよい。また、撮像素子を１列に並べたラインセンサを用いてもよいし、撮像素子を２次元状に並べたエリアセ  ンサを用いてもよい。
【００７０】
図示は省略するが、インクジェット記録装置１０には、用紙搬送部１４に用紙１６を供給する給紙部が設けられている。複数種類の用紙（記録媒体）を利用可能な構成にした場合（用紙１６が収容されるマガジンを複数備える場合）、紙の種類情報を記録したバーコード或いは無線タグなどの情報記録体を各マガジンに取り付け、その情報記録体の情報を所定の読取装置によって読み取ることで、使用される記録媒体の種類（メディア種）を自動的に判別し、メディア種に応じて適切なインク吐出及び処理液付与、浸透抑制剤の付与を実現するようにインク吐出制御及び処理液付与制御、浸透抑制剤付与制御を行うことが好ましい。
【００７１】
なお、ロール状に巻かれた長尺の連続用紙等を用いる場合には、浸透抑制剤付与部１８の前段に用紙１６を所定の長さにカットするカッターが設けられている。裁断用のカッターの構成例を挙げると用紙１６の幅以上の長さを有する固定刃と、該固定刃に沿って移動する丸刃とから構成され、印字裏面側に固定刃が設けられ、用紙１６の搬送路を挟んで印字面側に丸刃が配置される構成が挙げられる。
【００７２】
また、図示は省略するが、インクジェット記録装置１０には、インク打滴部１２の各ヘッド１２Ｃ，１２Ｍ，１２Ｙ，１２Ｋにインクを供給するインク貯蔵／装填部を備えている。インク貯蔵／装填部は、各ヘッド１２Ｃ，１２Ｍ，１２Ｙ，１２Ｋに対応する色のインクを貯蔵するインク供給タンク（図７に符号６０で図示）を有し、各色のインクは所要のインク流路を介して各ヘッド１２Ｃ，１２Ｍ，１２Ｙ，１２Ｋと連通されている。また、インク貯蔵／装填部は、インク残量が少なくなるとその旨を報知する報知手段（表示手段、警告音発生手段）を備えるとともに、色間の誤装填を防止するための機構を有する部材が用いられる。
【００７３】
なお、上述したインク貯蔵／装填部と同様に、浸透抑制剤付与部１８に対して浸透抑制剤を供給する構成を備えるとともに、処理液付与部２２に対して処理液を供給する構成を備えている。また、本例に示すインクジェット記録装置１０は上述した構成以外にも、用紙搬送部１４の用紙を保持する面の汚れを除去するクリーニング処理部や、用紙搬送路上における用紙１６の位置を検出する位置検出センサ、インク打滴部１２の周辺など装置各部の温度を検出する温度センサ、画像記録後の用紙１６を装置外部に排出する排紙部、上述した各部を用紙搬送路上と所定の退避位置との間を移動させる移動機構などを備えている。
【００７４】
〔印字部の説明〕
次に、インク打滴部１２について詳説する。図３に示すように、インク打滴部１２の各ヘッド１２Ｃ，１２Ｍ，１２Ｙ，１２Ｋは、用紙１６における画像記録領域の最大幅に対応する長さを有し、そのインク吐出面には画像記録領域の全幅にわたりインク吐出用のノズル（図４に符号５１で図示）が複数配列されたフルライン型のヘッドとなっている。
【００７５】
ヘッド１２Ｃ，１２Ｍ，１２Ｙ，１２Ｋは、用紙１６の搬送方向（副走査方向；符号Ａで図示）に沿って上流側からシアン（Ｃ），マゼンタ（Ｍ），イエロー（Ｙ），黒（Ｋ）の色順に配置され、それぞれのヘッド１２Ｃ，１２Ｍ，１２Ｙ，１２Ｋが用紙搬送方向と直交する方向（主走査方向）に延在するように固定設置される。
【００７６】
用紙１６の全幅をカバーするノズル列を有するフルライン型のヘッドを各色インクに対してそれぞれ設ける構成によれば、用紙搬送方向について、用紙１６とインク打滴部１２の各ヘッド１２Ｃ，１２Ｍ，１２Ｙ，１２Ｋとを相対的に移動させる動作を１回行うだけで（即ち、１回の副走査で）、用紙１６の画像記録領域に画像を形成することができる。これにより、ヘッド１２Ｃ，１２Ｍ，１２Ｙ，１２Ｋが用紙搬送方向と直交する主走査方向に往復動作するシリアル（シャトル）型ヘッドに比べて高速印字が可能であり、プリント生産性を向上させることができる。
【００７７】
本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクヘッドを追加する構成も可能であり、各色ヘッドの配置順序も特に限定はない。
【００７８】
〔ヘッドの構造〕
次に、ヘッド１２Ｃ，１２Ｍ，１２Ｙ，１２Ｋの構造について詳説する。ヘッド１２Ｃ，１２Ｍ，１２Ｙ，１２Ｋの構造は共通しているので、以下、これらを代表して符号５０によってヘッドを示す。なお、浸透抑制剤付与部１８に含まれるインクジェットヘッド（浸透抑制剤ヘッド）及び処理液付与部２２に含まれるインクジェットヘッド（処理液ヘッド）にもヘッド５０と同様の構成を適用することができるので、本例のインクジェット記録装置１０に含まれるインクジェットヘッドについて、ヘッド１２Ｃ，１２Ｍ，１２Ｙ，１２Ｋを用いて説明する。
【００７９】
図４(a)はヘッド５０の構造例を示す平面透視図であり、図４(b)はその一部の拡大図である。また、図４(c)はヘッド５０の他の構造例を示す平面透視図、図５はインク室ユニットの立体的構成を示す断面図（図４(a),(b)中の５−５線に沿う断面図）である。
【００８０】
用紙１６上に形成されるドットピッチを高密度化するためには、ヘッド５０におけるノズルピッチを高密度化する必要がある。本例のヘッド５０は、図４(a),(b)に示すように、インク滴の吐出孔であるノズル５１と、各ノズル５１に対応する圧力室５２等からなる複数のインク室ユニット５３を千鳥でマトリクス状に（２次元的に）配置させた構造を有し、これにより、ヘッド長手方向（副走査方向）に沿って並ぶように投影される実質的なノズル間隔（投影ノズルピッチ）の高密度化を達成している。
【００８１】
主走査方向に用紙１６の全幅に対応する長さにわたり１列以上のノズル列を構成する形態は本例に限定されない。例えば、図４(a)の構成に代えて、図４(c)に示すように、複数のノズル５１が２次元に配列された短尺のヘッドモジュール５０’を千鳥状に配列して繋ぎ合わせることで用紙１６の全幅に対応する長さのノズル列を有するラインヘッドを構成してもよい。また、図示は省略するが、短尺のヘッドモジュールを一列に並べてラインヘッドを構成してもよい。
【００８２】
各ノズル５１に対応して設けられている圧力室５２は、その平面形状が概略正方形となっており、対角線上の両隅部にノズル５１と供給口５４が設けられている。図５に示すように、各圧力室５２は供給口５４を介して共通流路５５と連通されている。共通流路５５はインク供給源たるインク供給タンク（図５中不図示、図７に符号６０で図示）と連通しており、該インク供給タンクから供給されるインクは図５の共通流路５５を介して各圧力室５２に分配供給される。
【００８３】
圧力室５２の天面を構成し共通電極と兼用される振動板５６には個別電極５７を備えた圧電素子５８が接合されており、個別電極５７に駆動電圧を印加することによって圧電素子５８が変形してノズル５１からインクが吐出される。インクが吐出されると、共通流路５５から供給口５４を通って新しいインクが圧力室５２に供給される。
【００８４】
かかる構造を有するインク室ユニット５３を図６に示す如く、主走査方向に沿う行方向及び主走査方向に対して直交しない一定の角度θを有する斜めの列方向に沿って一定の配列パターンで格子状に多数配列させることにより、本例の高密度ノズルヘッドが実現されている。
【００８５】
即ち、主走査方向に対してある角度θの方向に沿ってインク室ユニット５３を一定のピッチｄで複数配列する構造により、主走査方向に並ぶように投影されたノズルのピッチＰはｄ×cosθとなり、主走査方向については、各ノズル５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。
【００８６】
なお、印字可能幅の全幅に対応した長さのノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、用紙１６の幅方向（用紙１６の搬送方向と直交する方向）に１ライン（１列のドットによるラインまたは複数列のドットから成るライン）を印字するようなノズルの駆動を主走査と定義する。
【００８７】
特に、図４(a),(b)に示すようなマトリクス状に配置されたノズル５１を駆動する場合は、上記（３）のような主走査が好ましい。即ち、ノズル５１-11、５１-12、５１-13、５１-14、５１-15、５１-16を１つのブロックとし（他にはノズル５１-21、…、５１-26を１つのブロック、ノズル５１-31、…、５１-36を１つのブロック、…として）、用紙１６の搬送速度に応じてノズル５１-11、５１-12、…、５１-16を順次駆動することで用紙１６の幅方向に１ラインを印字する。
【００８８】
一方、上述したフルラインヘッドと用紙１６とを相対移動することによって、上述した主走査で形成された１ライン（１列のドットによるラインまたは複数列のドットから成るライン）の印字を繰り返し行うことを副走査と定義する。
【００８９】
そして、上述の主走査によって記録される１ライン（或いは帯状領域の長手方向）の示す方向を主走査方向といい、上述の副走査を行う方向を副走査方向という。なお、本発明の実施に際してノズルの配置構造は図示の例に限定されない。
【００９０】
また、本実施形態では、ピエゾ素子（圧電素子）に代表される圧電素子５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【００９１】
本発明の適用範囲はライン型ヘッドによる印字方式に限定されず、用紙１６の幅方向の長さに満たない短尺のヘッドを用紙１６の幅方向に走査させて当該幅方向の印字を行い、１回の幅方向の印字が終わると用紙１６を幅方向と直交する方向に所定量だけ移動させて、次の印字領域の用紙１６の幅方向の印字を行い、この動作を繰り返して用紙１６の印字領域の全面にわたって印字を行うシリアル方式を適用してもよい。
【００９２】
〔供給系の構成〕
図７はインクジェット記録装置１０におけるインク（浸透抑制剤、処理液）供給系の構成を示した概要図である。インク供給タンク６０はヘッド５０にインクを供給する基タンクであり、先に説明したインク貯蔵／装填部に含まれる。インク供給タンク６０の形態には、インク残量が少なくなった場合に不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。
【００９３】
図７に示すように、インク供給タンク６０とヘッド５０の中間には、異物や気泡を除去するためにフィルタ６２が設けられている。フィルタ・メッシュサイズは、ノズル径と同等若しくはノズル径以下（一般的には、２０μｍ程度）とすることが好ましい。
【００９４】
なお、図７には示さないが、ヘッド５０の近傍又はヘッド５０と一体にサブタンクを設ける構成も好ましい。サブタンクは、ヘッドの内圧変動を防止するダンパー効果及びリフィルを改善する機能を有する。
【００９５】
また、インクジェット記録装置１０には、ノズル５１の乾燥防止又はノズル近傍のインク粘度上昇を防止するための手段としてのキャップ６４と、ヘッド５０のインク吐出面の清掃手段としてクリーニングブレード６６が設けられている。
【００９６】
これらキャップ６４及びクリーニングブレード６６を含むメンテナンスユニット（メンテナンス手段）は、不図示の移動機構によってヘッド５０に対して相対移動可能であり、必要に応じて所定の退避位置からヘッド５０下方のメンテナンス位置に移動される。
【００９７】
キャップ６４は、図示せぬ昇降機構によってヘッド５０に対して相対的に昇降変位される。電源ＯＦＦ時や印刷待機時にキャップ６４を所定の上昇位置まで上昇させ、ヘッド５０に密着させることにより、ノズル面をキャップ６４で覆う。
【００９８】
印字中又は待機中において、特定のノズル５１の使用頻度が低くなり、ある時間以上インクが吐出されない状態が続くと、ノズル近傍のインク溶媒が蒸発してインク粘度が高くなってしまう。このような状態になると、圧電素子５８が動作してもノズル５１からインクを吐出できなくなってしまう。
【００９９】
このような状態になる前に（圧電素子５８の動作により吐出が可能な粘度の範囲内で）圧電素子５８を動作させ、その劣化インク（粘度が上昇したノズル近傍のインク）を排出すべくキャップ６４（インク受け）に向かって予備吐出（パージ、空吐出、つば吐き、ダミー吐出）が行われる。
【０１００】
また、ヘッド５０内のインク（圧力室５２内）に気泡が混入した場合、圧電素子５８が動作してもノズルからインクを吐出させることができなくなる。このような場合にはヘッド５０にキャップ６４を当て、吸引ポンプ６７で圧力室５２内のインク（気泡が混入したインク）を吸引により除去し、吸引除去したインクを回収タンク６８へ送液する。
【０１０１】
この吸引動作は、初期のインクのヘッドへの装填時、或いは長時間の停止後の使用開始時にも粘度上昇（固化）した劣化インクの吸い出しが行われる。なお、吸引動作は圧力室５２内のインク全体に対して行われるので、インク消費量が大きくなる。したがって、インクの粘度上昇が小さい場合には予備吐出を行う態様が好ましい。
【０１０２】
クリーニングブレード６６はゴムなどの弾性部材で構成されており、図示せぬブレード移動機構によりヘッド５０のインク吐出面に摺動可能である。インク吐出面にインク液滴または異物が付着した場合、クリーニングブレード６６をインク吐出面に摺動させることでインク吐出面を拭き取り、インク吐出面を清掃する。
〔制御系の説明〕
図８は、インクジェット記録装置１０のシステム構成を示す要部ブロック図である。インクジェット記録装置１０は、通信インターフェース７０、システム制御部７２、画像メモリ７４、モータドライバ７６、ヒータドライバ７８、定着加圧制御部７９、プリント制御部８０、画像バッファメモリ（不図示）、ヘッドドライバ８４、浸透抑制剤制御部９０、処理液付与制御部９２、演算部９４等を備えている。
【０１０３】
通信インターフェース７０は、ホストコンピュータ８６から送られてくる画像データを受信するインターフェース部である。通信インターフェース７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ８６から送出された画像データは通信インターフェース７０を介してインクジェット記録装置１０に取り込まれ、一旦画像メモリ７４に記憶される。
【０１０４】
画像メモリ７４は、通信インターフェース７０を介して入力された画像やセンサ３０によって読み取られた画像の読取データ、演算部９４による演算後のデータ（画像処理後の画像）等を一旦格納する記憶手段であり、システム制御部７２を通じてデータの読み書きが行われる。画像メモリ７４は、半導体素子からなるメモリに限らず、ハードディスクなど磁気媒体を用いてもよい。
【０１０５】
システム制御部７２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能する。即ち、システム制御部７２は、通信インターフェース７０、画像メモリ７４、モータドライバ７６、ヒータドライバ７８等の各部を制御し、ホストコンピュータ８６との間の通信制御、画像メモリ７４の読み書き制御等を行うとともに、搬送系のモータ８８やヒータ８９を制御する制御信号を生成する。
【０１０６】
画像メモリ７４には、システム制御部７２のＣＰＵが実行するプログラム及び制御に必要な各種データなどが格納されている。なお、画像メモリ７４は、書換不能な記憶手段であってもよいし、ＥＥＰＲＯＭのような書換可能な記憶手段であってもよい。画像メモリ７４は、画像データの一時記憶領域として利用されるとともに、プログラムの展開領域及びＣＰＵの演算作業領域としても利用される。また、システム制御部７２等を構成するプロセッサ類に内蔵されるメモリを画像メモリ７４として用いてもよい。
【０１０７】
モータドライバ７６は、システム制御部７２からの指示にしたがってモータ８８を駆動するドライバである。図８には、装置内の各部に配置されるモータ（アクチュエータ）を代表して符号８８で図示されている。例えば、図８に示すモータ８８には、図１の用紙搬送部１４の駆動源として機能するモータや、各部の移動機構のモータ、図７のクリーニングブレード６６を移動させる機構のモータなどが含まれる。
【０１０８】
ヒータドライバ７８は、システム制御部７２からの指示にしたがって、ヒータ８９を駆動するドライバである。図８には、インクジェット記録装置１０に備えられる複数のヒータを代表して符号８９で図示されている。例えば、図８に示すヒータ８９には、図１の浸透抑制剤乾燥部２０のヒータや、処理液乾燥部２４のヒータ、インク乾燥部２６のヒータなどが含まれている。
【０１０９】
プリント制御部８０は、システム制御部７２の制御に従い、画像メモリ７４内の画像データから印字制御用の信号を生成するための各種加工、補正などの処理を行う信号処理機能を有し、生成した印字データ（ドットデータ）をヘッドドライバ８４及び浸透抑制剤制御部９０、処理液付与制御部９２に供給する制御部である。プリント制御部８０において所要の信号処理が施され、該画像データに基づいて、ヘッドドライバ８４を介してヘッド５０のインク液滴の吐出量や吐出タイミングの制御が行われる。これにより、所望のドットサイズやドット配置が実現される。また、当該画像データに基づいて浸透抑制剤制御部９０を介して浸透抑制剤付与部１８の浸透抑制剤付与量や付与タイミングが制御されるとともに、処理液付与制御部９２を介して処理液付与部２２の処理液付与量や付与タイミングが制御される。
【０１１０】
プリント制御部８０には不図示の画像バッファメモリが備えられており、プリント制御部８０における画像データ処理時に画像データやパラメータなどのデータが画像バッファメモリに一時的に格納される。また、プリント制御部８０とシステム制御部７２とを統合して１つのプロセッサで構成する態様も可能である。
【０１１１】
ヘッドドライバ８４は、プリント制御部８０から与えられる画像データに基づいてヘッド１２Ｃ，１２Ｍ，１２Ｙ，１２Ｋの圧電素子５８に印加される駆動信号を生成するとともに、該駆動信号を圧電素子５８に印加して圧電素子５８を駆動する駆動回路を含んで構成される。なお、図８に示すヘッドドライバ８４には、ヘッド５０の駆動条件を一定に保つためのフィードバック制御系を含んでいてもよい。
【０１１２】
印刷すべき画像のデータは、通信インターフェース７０を介して外部から入力され、画像メモリ７４に蓄えられる。この段階では、ＲＧＢの画像データが画像メモリ７４に記憶される。
【０１１３】
画像メモリ７４に蓄えられた画像データは、システム制御部７２を介してプリント制御部８０に送られ、該プリント制御部８０においてインク色ごとのドットデータに変換される。即ち、プリント制御部８０は、入力されたＲＧＢのラスターデータをＫＣＭＹの４色のドットデータに変換するＲＩＰ処理を行う。プリント制御部８０で生成されたドットデータは、不図示の画像バッファメモリに蓄えられる。なお、浸透抑制剤のドットデータや処理液のドットデータも同様に生成される。
【０１１４】
演算部９４は、センサ３０から得られた検出信号に所定の信号処理を施す機能を有するブロックである。例えば、センサ３０の読取信号からドットの欠陥（形状の異常、位置の異常）の情報を生成し、当該吐出異常情報をプリント制御部８０に提供する。プリント制御部８０では、当該吐出異常情報に基づいて画像データ（ドットデータ）の補正が行われる。
【０１１５】
不図示のプログラム格納部には各種制御プログラムが格納されており、システム制御部７２の指令に応じて、制御プログラムが読み出され、実行される。プログラム格納部はＲＯＭやＥＥＰＲＯＭなどの半導体メモリを用いてもよいし、磁気ディスクなどを用いてもよい。外部インターフェースを備え、メモリカードやＰＣカードを用いてもよい。もちろん、これらの記録媒体のうち、複数の記録媒体を備えてもよい。なお、プログラム格納部は動作パラメータ等の記憶手段（不図示）と兼用してもよい。
【０１１６】
〔浸透抑制剤及び処理液の付与方法の説明〕
次に、浸透抑制剤及び処理液の付与方法について詳述する。前述のように、浸透抑制剤および処理液はローラ塗布等のような全面塗布でもよいが、本例ではインクジェット方式を適用することで、インクに対してドットオンドットで処理液を打滴することができ、更に、処理液に対してドットオンドットで浸透抑制剤を打滴することができるので、非画像部（インクのドットが配置されない部分）の質感を変えることなく維持することができ、また、処理液及び浸透抑制剤の消費量の低減化にも寄与する。
【０１１７】
更に、以下に示す打滴方法では、処理液及び浸透抑制剤を色材入りインクの打滴箇所及びその周辺のみに選択的に付与する方式を適用している。図９(a)〜(c)には、インク及び処理液、浸透抑制剤の付与例を模式的に図示する。
【０１１８】
図９(a)に示すドット配置１００には、インクによるドット１０２の配置を表している。インクドットはＣＭＹＫ各色の論理和であり、ＣＭＹＫ各色のうち１色でもドットが存在する場合にはドットが配置されるとしている。また、図９(b)に示すドット配置１１０は処理液によるドット１１２の配置を表し、図９(c)に示すドット配置１２０は浸透抑制剤によるドット１２２の配置を表している。
【０１１９】
図９(a)〜(c)には、浸透抑制剤、処理液、インクの順に付与面積を小さくする態様を図示している。言い換えると、図９(a)に示すインク打滴領域（インクドット１０２が形成される領域）とその周辺に処理液を打滴し（図９(b)に示す処理液ドット１１２を形成し）、処理液打滴領域（処理液ドット１１２が形成される領域）とその周辺に浸透抑制剤を打滴する（浸透抑制剤ドット１２２を形成する）という構成が好ましい。
【０１２０】
インク打滴領域の周辺に処理液を打滴する方法、処理液打滴領域の周辺に浸透抑制剤を打滴する方法として、図９(a)〜(c)にはインク打滴部（インクの打滴点、インクドット１０２が形成されている部分）とその上下左右に処理液を打滴し、さらに処理液打滴部（処理液の打滴点、処理液ドット１１２が形成されている部分）の上下左右に浸透抑制剤を打滴する例を示した。なお、上下左右に加え、右斜め上、左斜め上、右斜め下、左斜め下を加えてもよい。「打滴点」とは、画像上（用紙上）においてドットを形成し得る位置である。
【０１２１】
即ち、図９(a)〜(c)に態様では、インクによるドット、処理液によるドット、浸透抑制剤によるドットの大きさを変えずに、インクの打滴点に隣接する打滴点を含む周囲の打滴点に処理液を打滴するように処理液の打滴点をインクの打滴点よりも増やすとともに、処理液の打滴点に隣接する打滴点を含む周囲の打滴点に浸透抑制剤を打滴するように、浸透抑制剤の打滴点を処理液の打滴点よりも増やして、インク、処理液、浸透抑制剤の打滴点を決める方法が挙げられる。
【０１２２】
言い換えると、図９(a)〜(c)に示す態様では、インクドット１０２の周囲を囲むように処理液ドット１１２が形成されるとともに、処理液ドット１１２の周囲を囲むように浸透抑制剤ドット１２２が形成される。なお、図９(a)〜(c)にはインク打滴領域の外側に１ドット分の処理液打滴領域を設け、更に、処理液打滴領域の外側に１ドット分の浸透抑制剤打滴領域を設ける態様を例示したが、インク打滴領域の外側に２ドット分以上の処理液打滴領域を設けてもよいし、処理液打滴領域の外側に２ドット分以上の浸透抑制剤打滴領域を設けてもよく、記録画像（記録画像のインクドット密度）に応じて適宜決めるとよい。
【０１２３】
図９(a)〜(c)に示す態様によれば、処理液の打滴領域を囲むように処理液に先立って浸透抑制剤を打滴するので、浸透抑制剤が存在しない領域に処理液が着弾することがなく、確実に用紙１６のカールが防止される。また、インクの打滴領域を囲むようにインクに先立って処理液を打滴するので、処理液が存在しない領域にインクが着弾することがなく、確実にインクと処理液を反応させることができる。
【０１２４】
図１０(a)〜(c)には、インク、処理液、浸透抑制剤の順に打滴量を増やした場合のドット配置の例を示している。即ち、図１０(a)〜(c)には処理液及び浸透抑制剤のドット数を変更せずに、処理液ドット１３２、浸透抑制剤ドット１４２の大きさを変更する態様を示す。図１０(a)に示すドット配置１００は、図９(a)に示すインクドット１０２のドット配置と同一であり説明は省略する。
【０１２５】
図１０(b)に示すドット配置１３０は処理液ドット１３２の配置を表し、処理液ドット１３２は、図１０(a)に示すインクドット１０２と同一打滴点に形成されるとともに、インクドット１０２よりも大きいサイズを有している。また、図１０(c)に示すドット配置１４０は、浸透抑制剤ドット１４２のドット配置を表し、浸透抑制剤ドット１４２はインクドット１０２及び処理液ドット１３２と同一打滴点に形成されるとともに、処理液ドット１３２によりも大きいサイズを有している。
【０１２６】
なお、処理液ドット１３２のサイズをインクドット１０２のサイズよりも大きくするには、処理液の打滴量をインクの打滴量よりも多くする代わりに、処理液に含有する界面活性剤の含有量を調整して処理液をインクよりも濡れ広がるよう調整してもよい。更に、打滴量の調整と界面活性剤の含有量の調整を組み合わせてもよい。また、浸透抑制剤ドット１４２のサイズを処理液ドット１３２のサイズよりも大きくする方法にも同様の方法を適用することができる。
【０１２７】
インクドット１０２の面積に対する処理液ドット１３２の面積は、１．２倍以上３．０倍以下が好ましく、より好ましくは１．５倍以上２．０倍以下である。また、処理液ドット１３２の面積に対する浸透抑制剤ドット１４２の面積は、１．２倍以上４．０倍以下が好ましく、より好ましくは１．５倍以上２．０倍以下である。
【０１２８】
図１０(a)〜(c)に示す態様によれば、インクのドット配置を浸透抑制剤のドット配置（処理液のドット配置）に利用でき、制御系の演算負荷の低減化に寄与する。
【０１２９】
図１１(a)〜(c)には、浸透抑制剤、処理液、インクの順に打滴密度を上げるという態様を図示する。図１１(a)に示すドット配置１００は、インクドット１０２のドット配置を表し、図９(a)及び図１０(a)に図示したドット配置１００と同一である。図１１(b)に示すドット配置１５０は処理液ドット１５２のドット配置であり、図１１(a)に示すインクドット１０２のドット配置１００に対してドット密度が主走査方向及び副走査方向ともに１／２になっており、処理液ドット１５２の範囲内にインクドット１０２が１つでも存在する場合には、対応する処理液ドットが打滴される。
【０１３０】
図１１(c)に示すドット配置１６０は浸透抑制剤ドット１６２によるドット配置を表し、図１１(b)に示す処理液ドット１５２のドット配置１５０に対して主走査方向及び副走査方向ともにドット密度が１／２になっており、浸透抑制剤ドット１６２の範囲内に処理液ドット１５２が存在する場合には、対応する浸透抑制剤ドット１６２が打滴される。例えば、インクドット１０２のドット密度が１２００ｄｐｉの場合には、処理液ドット１５２のドット密度を６００ｄｐｉとし、浸透抑制剤ドット１６２のドット密度を３００ｄｐｉとする。
【０１３１】
言い換えると、図１１(a)〜(c)に示す態様では、インクに対して処理液の打滴密度を粗くするとともに、処理液に対して浸透抑制剤の打滴密度を更に粗くして、図１１(a)に示すインクドット１０２の周囲に図１１(b)に示す処理液ドット１５２を形成し、更に、処理液ドット１５２に対して図１１(c)に示す浸透抑制剤ドット１６２を形成している。
【０１３２】
図１１(a)〜(c)に示す態様によれば、インク打滴用のヘッド１２Ｃ，１２Ｍ，１２Ｙ，１２Ｋに対して、処理液付与部２２（処理液打滴用ヘッド）および浸透抑制剤付与部１８（浸透抑制剤打滴用ヘッド）のノズル密度を小さくすることができる（即ち、図６におけるノズルピッチＰを大きくすることができる）ので、ヘッドの製造コストを下げることができる。また、インク打滴用のヘッド１２Ｃ，１２Ｍ，１２Ｙ，１２Ｋに対して、処理液付与部２２（処理液打滴用ヘッド）及び浸透抑制剤付与部１８（浸透抑制剤打滴用ヘッド）の吐出周波数を下げることができるので、処理液付与部２２（処理液打滴用ヘッド）及び浸透抑制剤付与部１８（浸透抑制剤打滴用ヘッド）の制御部位の負荷を低減することができる。
【０１３３】
図１２(a)〜(c)には、インク打滴部の前２ドット分に浸透抑制剤及び処理液を打滴する画像パターンを図示する。図１２(a)に示すドット配置１００は、図９(a)等に示したインクドット１０２のドット配置である。図１２(a)における符号Ｂで示す矢印線は、打滴方向（用紙１６の搬送方向と反対方向）を示し、図１２(a)の上側から下側に向かって順にインクドット１０２が打滴される。なお、図１２(a)〜(c)の各打滴点に対して、同図中当該打滴点の上側に位置する打滴点を「下流側の打滴点」と呼ぶこととする。即ち、下流側の打滴点の方が先に打滴されることとなる。
【０１３４】
図１２(b)に示すドット配置１７０は処理液ドット１７２のドット配置であり、図１２(a)に示すインクドット１０２の前側（先の打滴順側）の１ドット分には、図１２(b)に示す処理液ドット１７２が打滴されている。また、図１２(c)に示すドット配置１８０は浸透抑制剤ドット１８２のドット配置であり、図１２(b)に示す処理液ドット１７２の前側の１ドット分には、図１２(c)に示すように浸透抑制剤ドット１８２が打滴されている。
【０１３５】
言い換えると、図１２(a)〜(c)に示しドット配置では、インクドットの打滴点の１つ前の（１つ下流側の）打滴点とインクドットの打滴点には処理液ドットが打滴されるとともに、処理液ドットの打滴点の1つ前（１つ下流側の）の打滴点と処理液ドットの打滴点には浸透抑制剤ドットが打滴される。なお、浸透抑制剤及び処理液は略透明であるため、それらがインクドットの打滴点に対して下流側の打滴点に打滴されても、ほとんど視認されないため、このような制御を行うことによる画像の劣化はほとんど起こらない。
【０１３６】
以上まとめると、図１２(a)〜(c)に示す態様によれば、浸透抑制剤及び処理液の吐出不良、特に、始動時やインターバル後の最初の（１発目の）吐出における吐出不良を防止することができる。
【０１３７】
〔浸透抑制剤塗布制御の説明〕
次に、本例の画像記録における浸透抑制剤の付与（処理液の付与）について詳述する。
【０１３８】
＜第１実施形態＞
図１３は、第１実施形態に係る浸透抑制剤付与の制御を示すフローチャートである。
【０１３９】
画像記録中に当該浸透抑制剤付与処理が開始されると、先ず、画像記録に用いられる紙情報（用紙の種類）を取得する（ステップＳ１０）。紙情報は、給紙トレイに取り付けられたＩＣタグ（情報記録媒体）から自動的に取得してもよいし、オペレータによって入力してもよい。また、テストプリントを印刷し、実際に作業者がカールの状態を判断してもよい。
【０１４０】
一方、画像記録において、画像データに基づきインクのドットデータ及び処理液のドットデータが生成され（ステップＳ１００）、単位面積ごとのインクの打滴量及び処理液の打滴量が算出される（ステップＳ１０２）。浸透抑制剤を打滴する場合には、ステップＳ１０２において画像領域（インクが付与される領域）を複数の領域に分割し、領域ごとにインク及び処理液の打滴量が算出される。画像領域の分割方法として、各領域が等しい面積となるように分割する方法が挙げられる。
【０１４１】
各画像領域の１辺の長さは、１００ｍｍ以下が好ましく、５０ｍｍ以下がさらに好ましい。また、浸透抑制剤をローラ等で塗布する場合には、画像領域を複数の領域に分割することはせず、画像領域全体に対して処理液及びインクの打滴量を算出する。言い換えると、浸透抑制剤をローラ等で塗布する場合には、画像領域全体を「単位面積」として扱う。
【０１４２】
ステップＳ１０において紙情報が取得されると、当該用紙はカールが発生する紙であるか否かが判断される（ステップＳ１２）。「カールが発生しない紙」とは、ＯＨＰシートやプラスチック基材等のセルロースのない媒体、インクジェット専用紙等のセルロースの上に既に浸透遮断層が形成されている紙が挙げられる。ステップＳ１２において使用される用紙はカールが発生しない紙であると判断されると（ＹＥＳ判定）、浸透抑制剤を付与せずに画像記録が実行される（ステップＳ１６）。
【０１４３】
ステップＳ１２においてカールが発生する紙であると判断されると（ＮＯ判定）、当該用紙はカールが発生しやすい紙であるか否かが判断される（ステップＳ１８）。「カールが発生しにくい紙」とは、段ボール、厚紙等の厚みが厚い紙、アート紙、コート紙等の溶媒の浸透が遅い紙（難浸透性媒体）が挙げられる。また、「カールが発生しやすい紙」とは、上質紙、微塗工紙等の溶媒の浸透が速い紙（浸透性媒体）が挙げられる。
【０１４４】
ステップＳ１８においてカールが発生しやすい紙であると判断されると（ステップＳ２０）、ステップＳ１０２で求められた打滴量と予め設定されたしきい値（しきい値１）が比較される（ステップＳ２２）。ステップＳ２２において、打滴量が所定のしきい値１よりも小さい場合（カールが発生しない程度の打滴量の場合）には（ＮＯ判定）、ステップＳ１６に進み、浸透抑制剤を付与せずに画像記録が行われる。一方、ステップＳ２２において、打滴量がしきい値１よりも大きい場合（カールが発生する可能性がある打滴量の場合）には、通常の量の浸透抑制剤が付与され（ステップＳ２４）、画像記録が行われる。
【０１４５】
また、ステップＳ１８においてカールしにくい紙であると判断されると（ＮＯ判定）、ステップＳ１０２で求められた打滴量と予め設定されたしきい値（しきい値２）が比較される（ステップＳ２８）。ステップＳ２８において、打滴量がしきい値２よりも小さい場合（カールが発生しない程度の打滴量の場合）には（ＮＯ判定）、ステップＳ１６に進み、浸透抑制剤を付与せずに画像記録が行われる。一方、ステップＳ２８において打滴量がしきい値２よりも大きい場合（カールが発生する可能性がある打滴量の場合）には、浸透抑制剤が少量付与され（ステップＳ３０）、画像記録が行われる。
【０１４６】
即ち、本例に示す浸透抑制剤の付与制御では、インク及び処理液の打滴量を算出した領域ごとに打滴としきい値１，２が比較され、領域ごとに浸透抑制剤の付与の有無が判断され、領域ごとに浸透抑制剤の付与が制御される。
【０１４７】
ステップＳ２４における「通常量」とは、処理液の打滴量に対して処理液が浸透しない効果を発揮するために決められたドットサイズ及びドット数に応じて浸透抑制剤を付与することを意味し、ステップＳ３０における「浸透抑制剤の少量付与」とは、前記「通常量」のドットサイズ及びドット数に対して、ドットを間引いたり液滴量を小さくしたりすることを意味する。
【０１４８】
なお、本例で示した「カールが発生しない紙」、「カールが発生しにくい紙」、「カールが発生しやすい紙」といった分類は便宜的なものであって、紙（媒体）の種類ごとに浸透抑制剤を付与するものであるか、浸透抑制剤を付与するものについては少量付与とするか、通常付与とするかを予め実験等によって求めデータベース化して記憶しておき、紙情報の取得時に当該データベースを参照して浸透抑制剤の付与について判断することが好ましい。
【０１４９】
このように構成された第１実施形態における浸透抑制剤付与制御によれば、使用される用紙の種類に応じて、カールしない紙を用いる場合には浸透抑制剤を付与せずに画像記録を行い、カールしにくい紙を用いる場合には浸透抑制剤を通常量よりも少量付与し、更に、カールしやすい紙を用いる場合に浸透抑制剤を通常量付与するように構成されるので、紙（記録媒体）の種類に応じた好ましい浸透抑制剤の付与が行われる。
【０１５０】
また、画像領域を複数に分割し、分割領域ごとに浸透抑制剤の付与を制御するので、画像の内容に応じたより好ましい浸透抑制剤の付与が行われる。
【０１５１】
＜第２実施形態＞
次に、浸透抑制剤付与制御の第２実施形態について説明する。以下に説明する第２実施形態では、インクの打滴不良（不吐出、打滴位置や打滴量のずれ）によって浸透抑制剤の吐出の有無を変更するように制御が行われる。
【０１５２】
図２等に示すフルライン型ヘッドを用いたシングルパス方式の画像記録では、インクの打滴不良が起こると、その箇所（吐出不良ノズルに対応する画像上の位置）がスジムラとなって視認される。本例では、このようなスジムラを解消する方法として、予めテストパターン等によってスジムラが発生する箇所（吐出不良ノズル）を認識し、その箇所（吐出不良ノズルと認識されたノズルに対応する画像上の位置）にのみ（または、その箇所と周辺箇所に）浸透抑制剤を付与しないことにより、その箇所のインクがにじみ、スジムラの視認性を下げることができる。浸透抑制剤とともに処理液も付与しないという態様にしてもよい。
【０１５３】
図１４(a)〜(c)には、第２実施形態におけるドット配置を示す。図１４(a)〜(c)において中央のノズル５１Ａが不吐出になっているとすると、中央のノズル（不吐出ノズル）５１Ａに対応する打滴点（図１４(a)に破線で図示したドットの打滴点）及びその左右に隣接する打滴点（図１４(b)中破線で図示したドットの打滴点）へは浸透抑制剤、処理液を吐出しないように、浸透抑制剤及び処理液の打滴が制御される。
【０１５４】
これにより、インクドットがにじみ（図１４(c)には、符号１０２’で滲んで所定のサイズよりも大きくなったドットを図示）、スジムラの視認性を下げることができる。
【０１５５】
なお、吐出異常の検出には以下に説明する方法が用いられる。
【０１５６】
先ず、テストパターンの印字を行い、図１に示すセンサ３０を用いて当該テストパターンを読み取り、ドット情報の取り込みを行う。取り込んだドット情報に基づいて各々のドットの濃度及び中心座標を算出する。当該テストパターンでは、すべてのノズルから同じ量のインク液滴を吐出させて、すべてのノズルに対応するドットが形成される。
【０１５７】
なお、図４(a)に示すようにノズル５１がマトリクス配置されている場合には、各々のドットが重ならないように離れた位置に打滴し、例えば、階段状のテストパターンを形成する。
【０１５８】
このようにして求められた各ノズルにおけるドットの中心座標（ドットの位置）及びドットの濃度と理論上のドットの中心座標及びドットの濃度を比較して、各ノズルについて吐出異常（不吐出、ドット位置の異常、ドットの濃度の異常）の有無が判断される。なお、吐出異常の検出方法は、上述した方法以外の方法を用いることも可能である。
【０１５９】
上述した第２実施形態に係る浸透抑制剤付与制御によれば、インクの吐出異常を検出するとともに吐出異常が発生しているノズルを特定し、少なくとも吐出異常ノズルに対応する打滴点の用紙搬送方向と直交する方向の隣接打滴点には浸透抑制剤及び処理液を付与しないように浸透抑制剤の付与及び処理液の付与が制御されるので、吐出異常ノズルに隣接するノズルから吐出されたインクが用紙上でにじみ、当該インクによりドットが所定のサイズよりも大きくなることで、吐出異常ノズルに起因するスジムラの視認性を低減することができる。
【０１６０】
〔材料の説明〕
次に、本例に適用される浸透抑制剤に用いられる材料について説明する。本例に適用される浸透抑制剤は熱可塑性樹脂を含有している。
【０１６１】
本例の浸透抑制剤に用いられる熱可塑性樹脂のガラス転移温度Ｔｇは、−１０℃以上１００℃以下が好ましく、１０℃以上７０℃以下がさらに好ましく、３０℃以上５０℃以下が更に好ましい。
【０１６２】
熱可塑性樹脂のガラス転移温度Ｔｇが低いと、吐出の際にノズル面近傍で皮膜を形成しやすくなってしまい、浸透抑制剤の吐出の安定性が低下するという問題がある。一方、熱可塑性樹脂のガラス転移温度Ｔｇが高いと皮膜を形成する際に多大な熱をかける必要が発生するという問題がある。また、熱可塑性樹脂の形態は、樹脂が後述する溶媒に溶解若しくは粒子状態で分散されている形態があるが、浸透抑制剤を吐出する場合には粒子状態で分散させた方が溶液全体の粘度を下げることができ、好ましい。粒子の場合には粒子径は、０．０１μｍ異常５μｍ以下の範囲が好ましく、０．０５μｍ異常１μｍ以下の範囲がさらに好ましい。粒子径が小さすぎると紙の内部に粒子が浸透してしまって表面で皮膜が形成できないという問題があり、粒子径が大きすぎると熱をかけても十分な皮膜を形成できず、吐出時にノズルに粒子が詰まるという問題がある。熱可塑性樹脂の重量パーセント濃度は、１ｗｔ％以上４０ｗｔ％以下の範囲が好ましく、５ｗｔ％以上３０ｗｔ％以下の範囲がさらに好ましく、１０ｗｔ％以上２０ｗｔ％以下の範囲がさらに好ましい。
【０１６３】
熱可塑性樹脂の濃度が低いと熱可塑性樹脂同士が十分に皮膜を形成せず、一部に欠陥ができてしまうという問題があり、濃度が高いと液の保存安定性が悪く（樹脂が析出する）、粘度が高すぎるという問題がある。
【０１６４】
本例で用いる熱可塑性樹脂は、上述したガラス転移温度Ｔｇ、粒子径、重量パーセント濃度の各条件を満たすものであればいずれでもよく、具体的には、オレフィン重合体及び共重合体、塩化ビニル共重合体、塩化ビニリデン共重合体、アルカン酸ビニル重合体及び共重合体、アルカン酸アリル重合体及び共重合体、スチレン及びその誘導体の重合体及び共重合体、オレフィン−スチレンオレフィン−不飽和カルボン酸エステル共重合体、アクリロニトリル共重合体、メタクリロニトリル共重合体、アルキルビニルエ−テル共重合体、アクリル酸エステル重合体及び共重合体、メタクリル酸エステル重合体及び共重合体、スチレン−アクリル酸エステル共重合体、スチレン−メタクリル酸エステル共重合体、イタコン酸ジエステル重合体及び共重合体、無水マレイン酸共重合体、アクリルアミド共重合体、メタクリルアミド共重合体、水酸基変性シリコン樹脂、ポリカーボネート樹脂、ケトン樹脂、ポリエステル樹脂、シリコン樹脂、アミド樹脂、水酸基及びカルボキシル基変性ポリエステル樹脂、ブチラール樹脂、ポリビニルアセタール樹脂、環化ゴム−メタクリル酸エステル共重合体、環化ゴム−アクリル酸エステル共重合体、複素環を含有する共重合体（複素環として例えば、フラン環、テトラヒドロフラン環、チオフェン環、ジオキサン環、ジオキソフラン環、ラクトン環、ベンゾフラン環、ベンゾチオフェン環、１，３−ジオキセタン環等）、セルロース系樹脂、脂肪酸変性セルロース系樹脂、エポキシ樹脂等が挙げられる。
【０１６５】
次に、上述した熱可塑性樹脂を溶解若しくは分散させる非水溶媒について述べる。本例に用いる非水溶媒としては、上述した熱可塑性樹脂を安定的に溶解若しくは分散させておくことができ、溶媒自身が紙に浸透してもカールを起こさない、若しくはカールが軽微であるものであればよい。具体的には、直鎖状もしくは分枝状の脂肪族炭化水素、脂環式炭化水素又は芳香族炭化水素、及びこれらのハロゲン置換体を用いることができる。例えばオクタン、イソオクタン、デカン、イソデカン、デカリン、ノナン、ドデカン、イソドデカン、シクロヘキサン、シクロオクタン、シクロデカン、ベンゼン、トルエン、キシレン、メシチレン、アイソパーＥ、アイソパーＧ、アイソパーＨ、アイソパーＬ（アイソパー；エクソン社の商品名）、シェルゾール７０、シェルゾール７１（シェルゾール；シェルオイル社の商品名）、アムスコＯＭＳ、アムスコ４６０溶剤（アムスコ；スピリッツ社の商品名）等を単独あるいは混合して用いることができる。
【０１６６】
本例では、記録媒体（用紙）上にカラー画像を記録するインクジェット記録装置を例示したが、本発明の適用範囲はインクジェット記録装置に限定されず、浸透性を有する記録媒体に対して液体を用いてパターンなどの形状を形成する画像形成装置や液体吐出装置などに広く適用することが可能である。
【図面の簡単な説明】
【０１６７】
【図１】本発明に係る画像記録方法を説明する概念図
【図２】本発明の実施形態に係るインクジェット記録装置の全体構成図
【図３】図２に示すインクジェット記録装置の印字部周辺の要部平面図
【図４】図２に示すヘッドの構成例を示す平面透視図
【図５】図６中５−５線に沿う断面図
【図６】図４に示すヘッドのノズル配列を示す拡大図
【図７】図２に示すインクジェット記録装置におけるインク供給系の構成を示す概要図
【図８】図２に示すインクジェット記録装置のシステム構成を示す要部ブロック図
【図９】本発明に係る画像記録方法におけるドット配置を示す概念図
【図１０】図９に示すドット配置の他の態様を示す概念図
【図１１】図９に示すドット配置の更に他の態様を示す概念図
【図１２】図９〜図１１に示すドット配置の更に他の態様を示す概念図
【図１３】本発明の第１実施形態に係る浸透抑制剤付与制御の流れを示すフローチャート
【図１４】本発明の第２実施形態に係る浸透抑制剤付与制御を説明する概念図
【符号の説明】
【０１６８】
１…浸透抑制剤、２…処理液、３…インク液滴、１０…インクジェット記録装置、１２…印字部、１６…記録媒体、３０…センサ、７２…システム制御部、７４…画像メモリ、８０…プリント制御部、８４…ヘッドドライバ、９０…浸透抑制剤ヘッドドライバ、９２…処理液ヘッドドライバ、９４…演算部
【図１】
0005103154.tif 000002
【図２】
0005103154.tif 000003
【図３】
0005103154.tif 000004
【図４】
0005103154.tif 000005
【図５】
0005103154.tif 000006
【図６】
0005103154.tif 000007
【図７】
0005103154.tif 000008
【図８】
0005103154.tif 000009
【図９】
0005103154.tif 000010
【図１０】
0005103154.tif 000011
【図１１】
0005103154.tif 000012
【図１２】
0005103154.tif 000013
【図１３】
0005103154.tif 000014
【図１４】
0005103154.tif 000015